(57)【特許請求の範囲】
【請求項１】
一方の端側を前端側と見た場合の前端側の端に針を有し、他方の端側を後端側と見た場合の後端側の端に頭部を有するとともに、頭部寄りに係合穴が設けられたカルコ本体部と、
１対の把持片が前記カルコ本体部の長手方向の両側に位置するように前記カルコ本体部の長手方向に沿って設けられているとともに、前記１対の把持片の前端側を連結する端部材が設けられ、前記カルコ本体部に摺動可能に取り付けられたロック解除スライダと、
前記カルコ本体部の長手方向の前記両側を左右の両側と見た場合に、１対のロック片が前記１対の把持片の上下の両側に位置するように設けられるとともに、前記１対のロック片の前端側を連結する端部材が前記ロック解除スライダの端部材の前方に位置するように設けられ、前記ロック解除スライダに摺動可能に取り付けられた糸取付部と、
該糸取付部に対して前記針が前記糸取付部の内部に収納される方向に前記カルコ本体部を付勢するスプリングを備えたカルコであって、
前記ロック解除スライダの端部材に、前記針を挿通する穴が設けらるとともに、前記ロック解除スライダの前記把持片に押圧突起が設けられ、
前記糸取付部の端部材に前記針を挿通する針通し穴が開けられるとともに、前記糸取付部の端部材の端面に糸取付端が設けられ、かつ、前記糸取付部の前記ロック片に押圧突起案内部と係合突起が形成されており、
前記頭部は、ロック状態においては、糸取付部の後方に突き出すように設けられており、
前記係合穴は、前記針が前記糸取付部の内部に収納された状態において前記係合突起が前記係合穴に係合して前記針の収納状態をロックする位置に設けられ、
前記押圧突起案内部は、前記ロック解除スライダがロック状態から前記糸取付部に対して前記前端側から後端側に向く方向に摺動して前記押圧突起に係合して前記ロック片によるロックを解除するための傾斜面を有し、
前記押圧突起は、前記ロック解除スライダがロック状態から前記糸取付部に対して前記前端側から後端側に向く方向に摺動したときに、前記押圧突起案内部の前記傾斜面に係合して前記ロック片を持ち上げるようにして反り返させて前記係合穴と前記係合突起との係合を解除する位置に設けられたことを特徴とするカルコ。
【発明の詳細な説明】
【０００１】
【発明の属する技術分野】
本発明は、大工道具として墨出し作業に用いられるカルコに関するものである。
【０００２】
【従来の技術】
墨つぼや糸巻きの糸の先端にはカルコが付いており、カルコの針を木材に突き刺して、墨出し作業を行なうが、作業中に針が抜けるとカルコが作業者に向かって飛んでくる場合があり、取り扱いには十分な注意が必要である。実開平７−２４５７６号公報に記載されているように、針をばねの力により本体ケース内に戻すことが可能なカルコが知られているが、針に糸を取り付けているため、糸が引っ張られて針が抜けたときには、針が本体ケース内に収容されない場合があった。
【０００３】
【発明が解決しようとする課題】
本発明は、上述した事情に鑑みてなされたもので、誤ってカルコの針が木材から抜けて、たとえカルコが作業者に当たったとしても、針が突き刺さる心配のない安全なカルコを提供することを目的とするものである。
【０００４】
【課題を解決するための手段】
請求項１に記載の発明は、一方の端側を前端側と見た場合の前端側の端に針を有し、他方の端側を後端側と見た場合の後端側の端に頭部を有するとともに、頭部寄りに係合穴が設けられたカルコ本体部と、１対の把持片が前記カルコ本体部の長手方向の両側に位置するように前記カルコ本体部の長手方向に沿って設けられているとともに、前記１対の把持片の前端側を連結する端部材が設けられ、前記カルコ本体部に摺動可能に取り付けられたロック解除スライダと、前記カルコ本体部の長手方向の両側を左右の両側と見た場合に、１対のロック片が前記１対の把持片の上下の両側に位置するように設けられるとともに、前記１対のロック片の前端側を連結する端部材が前記ロック解除スライダの端部材の前方に位置するように設けられ、前記ロック解除スライダに摺動可能に取り付けられた糸取付部と、該糸取付部に対して前記針が前記糸取付部の内部に収納される方向に前記カルコ本体部を付勢するスプリングを備えたカルコであって、前記ロック解除スライダの端部材に、前記針を挿通する穴が設けらるとともに、前記ロック解除スライダの前記把持片に押圧突起が設けられ、前記糸取付部の端部材に前記針を挿通する針通し穴が開けられるとともに、前記糸取付部の端部材の端面に糸取付端が設けられ、かつ、前記糸取付部の前記ロック片に押圧突起案内部と係合突起が形成されており、前記頭部は、ロック状態においては、糸取付部の後方に突き出すように設けられており、前記係合穴は、前記針が前記糸取付部の内部に収納された状態において前記係合突起が前記係合穴に係合して前記針の収納状態をロックする位置に設けられ、前記押圧突起案内部は、前記ロック解除スライダがロック状態から前記糸取付部に対して前記前端側から後端側に向く方向に摺動して前記押圧突起に係合して前記ロック片によるロックを解除するための傾斜面を有し、前記押圧突起は、前記ロック解除スライダがロック状態から前記糸取付部に対して前記前端側から後端側に向く方向に摺動したときに、前記押圧突起案内部の前記傾斜面に係合して前記ロック片を持ち上げるようにして反り返させて前記係合穴と前記係合突起との係合を解除する位置に設けられたことを特徴とするものである。
【０００６】
【発明の実施の形態】
図１は、本発明のカルコの実施の一形態の分解斜視図である。１はカルコ本体部、１ａは針、１ｂは針支持部、１ｃは摺動案内部、１ｄは頭部、１ｅは係合穴、１ｆは係合傾斜溝、２はロック解除スライダ、２ａは受け穴、２ｂは受け部、２ｃは把持片、２ｄは第１の摺動溝、２ｅ第２の摺動溝、２ｆは切り欠き部、２ｇは押圧突起、３は糸取付部、３ａは針通し穴、３ｂは糸取付端、３ｃはロック片、３ｄは突起、３ｅは係合突起、３ｆは押圧突起案内部、４はコイルスプリングである。
【０００７】
この実施の形態のカルコは、カルコ本体部１、ロック解除スライダ２、糸取付部３、コイルスプリング４からなる。カルコ本体部１は針１ａを有し、コイルスプリング４は、糸取付部３に対し針１ａが糸取付部３の内部に収納される方向にカルコ本体部１を付勢する。糸取付部３の係合突起３ｅとカルコ本体部１の係合穴１ｅとは、針１ａの収納状態のロックをするために設けられ、ロック解除スライダ２は、カルコ本体部１および糸取付部３に対して摺動可能に取り付けられ、ロック解除スライダ２の押圧突起２ｇは、糸取付部３の係合突起３ｅとカルコ本体部１の係合穴１ｅとの係合を解除する。
【０００８】
カルコ本体部１は、ほぼ四角柱形状であり、長手方向の一端に針１ａが突出しており、針１ａの付け根は、２段の円柱状の針支持部１ｂとなっている。カルコ本体部１の他端は、偏平な円柱状の頭部１ｄとなっており、針１ａを木材に打ち込むときには、この頭部１ｄを手のひらで押さえつけたり、金槌で叩くことができる。
【０００９】
カルコ本体部１の左右両側面には、長手方向に沿って、１対の摺動案内部１ｃが設けられている。この摺動案内部１ｃにより、後述するロック解除スライダ２および糸取付部が摺動可能に取り付けられる。この摺動案内部１ｃは、蟻ほぞと同様の形状をしており、摺動案内部１ｃの上下面は、鋭角、例えば６０度に切り込まれている。カルコ本体部１の上下両面の頭部１ｄ寄りには、長手方向に沿って係合穴１ｅおよび係合傾斜溝１ｆが設けられている。カルコ本体部１は、この係合穴１ｅにより後述する糸取付部３に対する摺動をロックされ、係合傾斜溝１ｆにより摺動の案内をされる。
【００１０】
ロック解除スライダ２は、糸取付部３に対するカルコ本体部１の摺動のロック状態を解除するためのものである。端部材に受け穴２ａがあり、この受け穴２ａは、この図では、一部分しか見えないが、カルコ本体部１の針支持部１ｂの受け部２ｂとなる円筒状突起の中心を貫通している。この端部材には、１対の把持片２ｃが長手方向に沿って設けられて左右両側面となる。把持片２ｃの受け穴２ａ寄りに把持を容易する滑り止めの凹凸が付けられている。
【００１１】
左右の把持片２ｃにまたがる上面側および下面側には、それぞれ１対の第１の摺動溝２ｄが長手方向に設けられ、また、左右の把持片２ｃの相対向する内側面には、それぞれ第２の摺動溝２ｅが長手方向に沿って設けられている。第２の摺動溝２ｅは、上述したカルコ本体部１の摺動案内部１ｃと摺動可能にはめ合わされるものであり、その上下の面は、側面に対して鋭角をなしている。第１の摺動溝２ｄには、途中のほぼ中央部に切り欠き部２ｆが設けらている。第１の摺動溝２ｄの上には、さらに、把持片２ｃの自由端側寄りに押圧突起２ｇが設けられている。
【００１２】
糸取付部３は、端部材の端面に針通し穴３ａが開けられた扁平な円筒状の糸取付端３ｂが設けられており、この糸取付端３ｂは、左右が半円形状に切り欠かれているとともに、この図では明らかではないが、糸取付部３との間に、わずかにくびれた首部を有し、ここに墨付けの糸が結ばれて取り付けられる。この端部材には、１対のロック片３ｃが設けられて上下面となっている。各ロック片３ｃのほぼ中央部には、左右に突起３ｄが設けられている。
【００１３】
上下のロック片３ｃの自由端の内側中央には、それぞれ係合突起３ｅが対向して設けられている。また、ロック片３ｃの内側の自由端寄りの左右の縁部に押圧突起案内部３ｆが設けられている。押圧突起案内部３ｆは、ロック片３ｃの縁部の厚みを薄くして溝にしたもので、溝の深さは、長手方向左側では一定であるが、係合突起３ｅ側に近づくと途中から傾斜面となって深さが浅くなっている。
【００１４】
カルコを組み立てるには、カルコ本体部１の針１ａおよび針支持部１ｂにコイルスプリング４をはめ込んだ上で、カルコ本体部１の摺動案内部１ｃをロック解除スライダ２側の第２の摺動溝２ｅに差し込んでカルコ本体部１とロック解除スライダ２を組み付ける。
【００１５】
さらに、糸取付部３の上下のロック片３ｃを押し拡げ、第１の摺動溝２ｄに糸取付部３側のロック片３ｃの内面をかぶせるようにすると、糸取付部３の突起３ｄがロック解除スライダ２の切り欠き部２ｆにはまり込むことによって、糸取付部３がロック解除スライダ２に取り付けられる。それととともに、糸取付部３の係合突起３ｅがカルコ本体部１の係合穴１ｅまたは係合傾斜溝１ｆに係合することによって糸取付部３がカルコ本体部１に取り付けられる。このようにして、ロック解除スライダ２が脱着しないようになり、接着剤やねじなどの部材を用いることなくカルコを構成する各部品が組み立てられる。
【００１６】
図２は、本発明のカルコの実施の一形態の使用状態を説明するための斜視図であり、図２（Ａ）はロック状態、図２（Ｂ）はロック解除の状態、図２（Ｃ）は針出し状態の斜視図である。図中、図１と同様な部分には同じ符号を付して説明を省略する。
【００１７】
図２（Ａ）に示すロック状態においては、糸取付部３のロック片３ｃに対してカルコ本体部１の頭部１ｄが後方に突き出ており、針１ａは糸取付部３内に収納されている。カルコ本体部１は、この状態で糸取付部３に対する摺動がロックされている。ロック解除スライダ２の把持片２ｃは糸取付部３の糸取付端３ｂ側に付勢され、糸取付部３の突起３ｄは、ロック解除スライダ２の切り欠き部２ｆの右側に位置している。
【００１８】
図２（Ｂ）に示すロック解除の状態においては、カルコ本体部１の頭部１ｄを手のひらに当て、ロック解除スライダ２の把持片２ｃを２本の指で挟んで引くと、ロック解除スライダ２が糸取付部３に対して後退する方向に摺動し、糸取付部３の突起３ｄは、ロック解除スライダ２の切り欠き部２ｆの左側に移動するとともに、ロック片３ｃの右の自由端側が外側に反り返り、カルコ本体部１のロック状態が解除される。さらに、ロック解除スライダ２の把持片２ｃを引くなどして、カルコ本体部１を糸取付部３側に押し込むと、図２（Ｃ）に示す針出し状態となる。
【００１９】
図２（Ｃ）に示す針出し状態においては、糸取付部３のロック片３ｃに対してカルコ本体部１の頭部１ｄが当接するとともに、糸取付部３の針通し穴３ａから針１ａが突き出し、針１ａを木材に打ち付けることができる。この状態では、糸取付部３の突起３ｄは、ロック解除スライダ２の切り欠き部２ｆの右側に再び戻っている。ロック解除状態が維持されているが、外から阻止力が加わらなければ、図１に示したコイルスプリング４が針１ａを糸取付部３の内部に戻る方向に付勢するために、すみやかに図２（Ａ）に示したロック状態に戻る。
【００２０】
したがって、誤って針１ａが抜けたとき、自動的に糸取付部３がコイルスプリング４により付勢されて針１ａをカバーするだけでなく、糸取付部３のカバー状態がロックされるので、仮に作業者にカルコが当たったとしても、針１ａが突き刺さることがない。針１ａを打ち付けたいときには、ロック解除スライダ２を先に後方へ押し下げることにより糸取付部３のロックを解除させ、針１ａを押し出して使用することができる。
【００２１】
図３は、図２（Ａ）に示したロック状態における内部構造の説明図である。図３（Ａ）は平面図、図３（Ｂ）は図３（Ａ）の矢示Ａ，Ａの切断線に沿った断面図、図３（Ｃ）は糸取付部のロック片に対するロック解除スライダの押圧突起の移動位置の説明図である。図３（Ａ）においては、破線を用いて内部のロック解除スライダ２を示している。図中、図１と同様な部分には同じ符号を付して説明を省略する。
【００２２】
図３（Ａ）に示すように、針１ａが糸取付部３内に収納されている。図３（Ｂ）に示すように、糸取付部３の係合突起３ｅがカルコ本体部１の係合穴１ｅにはまり込んでいるため、カルコ本体部１の糸取付部３に対する摺動がロックされている。図３（Ｃ）に示すように、ロック解除スライダ２の押圧突起２ｇは、糸取付部３の押圧突起案内部３ｆの溝の深さが一定の部分か、あるいは、さらに傾斜面の部分に若干はみ出した部分にわたって位置している。この押圧突起２ｇと押圧突起案内部３ｆとの係合により、ロック解除スライダ２の把持片２ｃは糸取付部３の糸取付端３ｂ側に付勢され、糸取付部３の突起３ｄはロック解除スライダ２の切り欠き部２ｆの右側に位置する。
【００２３】
図４は、図２（Ｂ）に示したロック解除の状態における内部構造の説明図である。図４（Ａ）は平面図、図４（Ｂ）は図４（Ａ）の矢示Ａ，Ａの切断線に沿った断面図、図４（Ｃ）は糸取付部のロック片に対するロック解除スライダの押圧突起の移動位置の説明図である。図中、図１と同様な部分には同じ符号を付して説明を省略する。
【００２４】
図４（Ａ）に示すように、把持片２ｃ，押圧突起２ｇ等を有するロック解除スライダ２が後方へ押し下げられる。図４（Ｃ）に示すように、ロック解除スライダ２の押圧突起２ｇは、糸取付部３の押圧突起案内部３ｆの傾斜面の部分を押圧する位置に移動し、糸取付部３のロック片３ｃの自由端側が変形を受けて若干反り返る。そのため、図４（Ｂ）に示すように、糸取付部３の係合突起３ｅは、カルコ本体部１の係合穴１ｅからはずれ、カルコ本体部１の糸取付部３に対する摺動のロック状態が解除される。
【００２５】
図５は、図２（Ｃ）に示した針出し状態における内部構造の説明図である。図５（Ａ）は平面図、図５（Ｂ）は図５（Ａ）の矢示Ａ，Ａの切断線に沿った断面図、図５（Ｃ）は糸取付部のロック片に対するロック解除スライダの押圧突起の移動位置の説明図である。図中、図１と同様な部分には同じ符号を付して説明を省略する。
【００２６】
図５（Ａ）に示すように、糸取付部３のロック状態を解除して、カルコ１の頭部１ｄを押す。図５（Ｂ）に示すように、カルコ本体部１の針支持部１ｂがロック解除スライダ２の受け部２ｂの受け穴２ａに嵌合するとともに、糸取付部３の針通し穴３ａから針１ａを出す。同時に、係合突起３ｅは、変形した糸取付部３のロック片３ｃの原状復帰力によりカルコ本体部１の係合傾斜溝１ｆに沿って移動し、係合傾斜溝１ｆの右端の最も深い地点に落とし込まれる。係合傾斜溝１ｆは、係合穴１ｅ側では、ほぼ等しい深さを維持するが、右の頭部１ｄ側に行くにつれ徐々に傾斜が急になり、最後に再び一定深さになる。
【００２７】
図５（Ｃ）に示すように、ロック解除スライダ２の押圧突起２ｇは、糸取付部３の押圧突起案内部３ｆの傾斜面の部分により押圧されて、再び、図３（Ｃ）に示した位置と同じ位置に戻される。その結果、糸取付部３の突起３ｄは、再びロック解除スライダ２の切り欠き部２ｆの右側に戻る。
【００２８】
この状態で、カルコ本体部１の頭部１ｄを叩けば、その力は針１ａに直接伝わり、針１ａをしっかりと木材に打ち込むことができる。コイルスプリング４は、カルコ本体部１を図３に示した状態に戻る方向に付勢しているため、外から力が加わらなければ、係合突起３ｅは、再び、カルコ本体部１の係合傾斜溝１ｆに沿って戻り、カルコ本体部１の係合穴１ｅにはまり込み、図２（Ａ）に示したロック状態に戻ることができる。
【００２９】
上述した例では、糸取付部３の係合突起３ｅとこれに係合するカルコ本体部１の係合穴１ｅとを幅方向の中央部に設け、糸取付部３の押圧突起案内部３ｆとこれに当接するロック解除スライダ２の押圧突起２ｇとを幅方向の左右に設けた。しかし、逆に、係合突起３ｅと係合穴１ｅとを幅方向の左右に設け、押圧突起案内部３ｆと押圧突起２ｇとを幅方向の中央部に設けるようにしてもよい。
【００３０】
【発明の効果】
以上の説明から明らかなように、請求項１に記載の発明によれば、一方の端側を前端側と見た場合の前端側の端に針を有し、他方の端側を後端側と見た場合の後端側の端に頭部を有するとともに、頭部寄りに係合穴が設けられたカルコ本体部と、１対の把持片が前記カルコ本体部の長手方向の両側に位置するように前記カルコ本体部の長手方向に沿って設けられているとともに、前記１対の把持片の前端側を連結する端部材が設けられ、前記カルコ本体部に摺動可能に取り付けられたロック解除スライダと、前記カルコ本体部の長手方向の両側を左右の両側と見た場合に、１対のロック片が前記１対の把持片の上下の両側に位置するように設けられるとともに、前記１対のロック片の前端側を連結する端部材が前記ロック解除スライダの端部材の前方に位置するように設けられ、前記ロック解除スライダに摺動可能に取り付けられた糸取付部と、該糸取付部に対して前記針が前記糸取付部の内部に収納される方向に前記カルコ本体部を付勢するスプリングを備えたカルコであって、前記ロック解除スライダの端部材に、前記針を挿通する穴が設けらるとともに、前記ロック解除スライダの前記把持片に押圧突起が設けられ、前記糸取付部の端部材に前記針を挿通する針通し穴が開けられるとともに、前記糸取付部の端部材の端面に糸取付端が設けられ、かつ、前記糸取付部の前記ロック片に押圧突起案内部と係合突起が形成されており、前記頭部は、ロック状態においては、糸取付部の後方に突き出すように設けられており、前記係合穴は、前記針が前記糸取付部の内部に収納された状態において前記係合突起が前記係合穴に係合して前記針の収納状態をロックする位置に設けられ、前記押圧突起案内部は、前記ロック解除スライダがロック状態から前記糸取付部に対して前記前端側から後端側に向く方向に摺動して前記押圧突起に係合して前記ロック片によるロックを解除するための傾斜面を有し、前記押圧突起は、前記ロック解除スライダがロック状態から前記糸取付部に対して前記前端側から後端側に向く方向に摺動したときに、前記押圧突起案内部の前記傾斜面に係合して前記ロック片を持ち上げるようにして反り返させて前記係合穴と前記係合突起との係合を解除する位置に設けられたことによって、針は自動的に糸取付部に収納されるとともに、収納状態がロックされるめ、たとえ誤って使用中に針が抜けて使用者に当たったとしても、針が収納され、ロックされているために安全であるという効果がある。また、針を打ち込む際には、ロック状態において、前記頭部が糸取付部の後方に突き出しているので、前記頭部を手のひらに当て、ロック解除スライダの把持片を２本の指で挟んで引くと、前記ロック解除スライダを前記糸取付部に対して後退する方向に摺動させることができ、容易にロックを解除することができる。さらに、前記ロック解除スライダを前記糸取付部に対して後退する方向に摺動させない限りロックは解除されないので、誤ってロックを解除されるおそれがないという効果がある。
【図面の簡単な説明】
【図１】本発明のカルコの実施の一形態の分解斜視図である。
【図２】本発明のカルコの実施の一形態の使用状態を説明するための斜視図であり、図２（Ａ）はロック状態、図２（Ｂ）はロック解除の状態、図２（Ｃ）は針出し状態の斜視図である。
【図３】ロック状態における内部構造の説明図である。
【図４】ロック解除の状態における内部構造の説明図である。
【図５】針出し状態における内部構造の説明図である。
【符号の説明】
１…カルコ本体部、１ａ…針、１ｅ…係合穴、１ｆ…係合傾斜溝、２…ロック解除スライダ、２ｃ…把持片、２ｇ…押圧突起、３…糸取付部、３ｂ…糸取付端、３ｃ…ロック片、３ｄ…突起、３ｅ…係合突起、３ｆ…押圧突起案内部、４…コイルスプリング。
【図１】
0003797443.tif 000002
【図２】
0003797443.tif 000003
【図３】
0003797443.tif 000004
【図４】
0003797443.tif 000005
【図５】
0003797443.tif 000006